(57)【要約】      （修正有）【課題】器具本体によってシェードを安定して支持することができるとともに、シェードを容易に着脱することができる照明装置を提供する。【解決手段】照明装置１０は、板状部２２と板状部の一側および他側に設けられ上方に突出した一対の係合突起３０と、を有る器具本体２０と、上面開口４８を形成され、上面開口の一側および他側に設けられ係合突起と係合する一対の係合部材５０を有し、器具本体に支持されるシェード４０と、を備えている。各係合部材５０は、内方に延び出る延出部５２と、延出部の内方端から垂れ下がる垂下部５４と、を有している。一対の係合突起の内方端間の長さＬ２は一対の係合部材の垂下部の外方端間の長さＬ１より長く、一対の係合突起の外方端間の長さＬ３は一対の係合部材の延出部の外方端間の長さＬ４より短い。【選択図】図２
0003117152.tif 000002
【実用新案登録請求の範囲】
【請求項１】
板状部と、前記板状部の一側および他側にそれぞれ設けられ上方に突出した少なくとも一対の係合突起と、を有し、取付面から離間して支持された器具本体と、
上面開口を形成されたシェードであって、前記上面開口の一側および他側にそれぞれ設けられ前記器具本体の前記係合突起と係合する少なくとも一対の係合部材を有し、前記器具本体に着脱自在に支持されるシェードと、を備え、
前記各係合部材は、内方に延び出る延出部と、延出部の内方端から垂れ下がる垂下部と、を有し、
前記一対の係合突起の内方端間の長さは前記一対の係合部材の前記垂下部の外方端間の長さより長く、前記一対の係合突起の外方端間の長さは一対の前記係合部材の前記延出部の外方端間の長さより短く、
前記係合部材と前記係合突起とが係合し前記係合部材の前記垂下部が前記係合突起の内方に配置された状態で、前記シェードが前記器具本体に支持されることを特徴とする照明装置。
【請求項２】
前記器具本体の前記板状部および前記シェードの前記上面開口は矩形状からなり、前記器具本体の前記係合突起は前記板状部の一側端および他側端に設けられ、各端縁に沿って延びていることを特徴とする請求項１に記載の照明装置。
【請求項３】
取付面に固定され前記器具本体を支持する支持金物をさらに備えたことを特徴とする請求項１または２に記載の照明装置。
【請求項４】
前記一対の係合突起の外方端間の長さが、前記一対の係合部材のうちの一方の係合部材の延出部の外方端と、他方の係合部材の垂下部の内方端と、の間の長さより短くなっていることを特徴とする請求項１乃至３のいずれか一項に記載の照明装置。
【請求項５】
係合した前記係合部材と前記係合突起との相対移動を規制するための規制部材をさらに備えたことを特徴とする請求項１乃至４のいずれか一項に記載の照明装置。
【請求項６】
前記器具本体に少なくとも２つの前記規制部材が設けられ、
前記各規制部材は、前記板状部の前記係合突起近傍に回動自在に連結された連結部と、前記係合部材の前記垂下部に内方から当接して該垂下部の内方への移動を規制する内方規制部と、を有することを特徴とする請求項５に記載の照明装置。
【請求項７】
前記器具本体に少なくとも２つの前記規制部材が設けられ、
前記各規制部材は、前記板状部の前記係合突起近傍に回動自在に連結された連結部と、前記係合部材の前記延出部に上方から当接して該延出部の上方への移動を規制する上方規制部と、を有することを特徴とする請求項５または６に記載の照明装置。
【請求項８】
前記器具本体の前記係合突起内方に、前記係合部材の前記垂下部を受けるための溝が形成されていることを特徴とする請求項１乃至６のいずれか一項に記載の照明装置。
【考案の詳細な説明】
【技術分野】
【０００１】
本考案は、器具本体と、器具本体に着脱自在に支持されるシェードと、を備えた照明装置において、とりわけ、器具本体によってシェードを安定して支持することができるとともに、シェードを容易に着脱することができる照明装置に関する。
【背景技術】
【０００２】
住宅や店舗等において、蛍光灯や電球等の発光体を支持する器具本体と、器具本体に支持され発光体の少なくとも一部分を覆うシェードと、を有する照明装置が用いられている。
【０００３】
一般に、シェードは、発光体が人の目に与える刺激を緩和するために用いられる。さらに、店舗等において用いられるシェードは、装飾や宣伝等の目的を兼ねて、あるいは、装飾や宣伝等の主目的として、用いられることも多い。装飾や宣伝等を目的とする場合、シェードはフレームとフレームに支持された透光性材料からなるパネルとを有し、パネルには装飾や広告等を目的として種々のパターン（模様や文字等）が形成される。
【考案の開示】
【考案が解決しようとする課題】
【０００４】
照明装置においては、発光体の交換時にシェードを器具本体から取り外さなければならない。また、店舗等において用いられる照明装置においては、シェードの下方が開口しているのでシェードを取り外すことなく発光体を交換できるものもあるが、パネルのパターンの変更や、掃除等の目的から、シェードを器具本体から取り外す必要が頻繁に生じる。
【０００５】
ところで、器具本体によりシェードを安定して支持することができるよう、シェードは器具本体に堅固に取り付けられる。特に、店舗等で用いられる照明器具においては、ねじ等の締結具を用い、シェードが器具本体に取り付けられているものもある。しかしながら、シェードが堅固に取り付けられると、シェードの着脱作業が煩雑になってしまうという不具合が生じる。
【０００６】
本考案はこのような点を考慮してなされたものであり、器具本体と、器具本体に着脱自在に支持されるシェードと、を備えた照明装置であって、器具本体によってシェードを安定して支持することができるとともに、シェードを容易に着脱することができる照明装置を提供することを目的とする。
【課題を解決するための手段】
【０００７】
本考案による照明装置は、板状部と板状部の一側および他側にそれぞれ設けられ上方に突出した少なくとも一対の係合突起とを有し、取付面から離間して支持された器具本体と、上面開口を形成されたシェードであって、上面開口の一側および他側にそれぞれ設けられ器具本体の係合突起と係合する少なくとも一対の係合部材を有し、器具本体に着脱自在に支持されるシェードと、を備え、各係合部材は内方に延び出る延出部と延出部の内方端から垂れ下がる垂下部とを有し、一対の係合突起の内方端間の長さは一対の係合部材の垂下部の外方端間の長さより長く、一対の係合突起の外方端間の長さは一対の係合部材の延出部の外方端間の長さより短く、係合部材と係合突起とが係合し係合部材の垂下部が係合突起の内方に配置された状態で、シェードが器具本体に支持されることを特徴とする。
【０００８】
このような照明装置によれば、器具本体の一方の係合突起とシェードの一方の係合部材とを係合させ、次に、シェードを器具本体に対して摺動させることにより、他方の係合突起と他方の係合部材とを係合させることができる。したがって、シェードを器具本体に安全かつ容易に取り付けることができる。また、逆の手順により、器具本体からシェードを容易に取り外すことができる。他方、一方の係合突起と一方の係合部材とが係合すると、シェードを上方および横方の両方に移動させない限り、シェードが器具本体から落下することはない。したがって、器具本体によりシェードをその自重によって安定して支持することができる。これらのことから本考案によれば、器具本体によってシェードを安定して支持することができるとともに、シェードを容易に着脱することができる。
【０００９】
本考案による照明装置において、器具本体の板状部およびシェードの上面開口は矩形状からなり、器具本体の係合突起は板状部の一側端および他側端に設けられ、各端縁に沿って延びるようにしてもよい。このような照明装置によれば、係合突起が板状部の一側端および他側端にそれぞれ設けられているので、とりわけ、シェードの着脱作業を容易に行うことができる。
【００１０】
また、本考案による照明装置において、照明装置が、取付面に固定され器具本体を支持する支持金物をさらに備えるようにしてもよい。このような照明装置によれば、支持金物の構成を適宜調整することによって、天井等の取付面と器具本体との離間間隔を、シェードの着脱作業に適した間隔にすることができる。これにより、シェードの着脱作業をさらに容易に行うことができるようになる。
【００１１】
さらに、本考案による照明装置において、一対の係合突起の外方端間の長さが、一対の係合部材のうちの一方の係合部材の延出部の外方端と、他方の係合部材の垂下部の内方端と、の間の長さより短くなっていることが好ましい。このような照明装置によれば、器具本体が上面開口を容易に通過することができるようなる。これにより、シェードの着脱作業をさらに容易に行うことができるようになる。
【００１２】
さらに、本考案による照明装置において、照明装置が、係合した係合部材と係合突起との相対移動を規制するための規制部材をさらに備えるようにしてもよい。このような照明装置によれば、器具本体によってシェードを安定して支持することができる。
【００１３】
この場合、器具本体に少なくとも２つの規制部材が設けられ、各規制部材が、板状部の係合突起近傍に回動自在に連結された連結部と、係合部材の垂下部に内方から当接して該垂下部の内方への移動を規制する内方規制部と、を有するようにしてもよい。このような照明装置によれば、簡易な構成からなる規制部材に対する簡単な操作によって、器具本体によりシェードを安定して支持することができる。
【００１４】
また、この場合、器具本体に少なくとも２つの規制部材が設けられ、各規制部材は、板状部の係合突起近傍に回動自在に連結された連結部と、係合部材の延出部に上方から当接して該延出部の上方への移動を規制する上方規制部と、を有するようにしてもよい。このような照明装置によれば、簡易な構成からなる規制部材を用いた簡単な操作によって、器具本体によりシェードを安定して支持することができる。
【００１５】
さらに、本考案による照明装置において、器具本体の係合突起内方に、係合部材の垂下部を受けるための溝が形成されていてもよい。このような照明装置によれば、係合部材の垂下部が溝に嵌り込むことによって、器具本体にシェードをさらに安定して支持させることができる。また、係合部材の垂下部が溝に案内されシェードの器具本体に対する取り付け位置が明確になることから、シェードの取り付け作業をさらに容易に行うことができる。
【考案の効果】
【００１６】
本考案によれば、器具本体によってシェードを安定して支持することができるとともに、シェードを容易に着脱することができる。
【考案を実施するための最良の形態】
【００１７】
以下、図面を参照して本考案の一実施の形態について説明する。
【００１８】
図１乃至図１０は本考案による照明装置の一実施の形態を示す図である。
【００１９】
このうち図１は照明装置を示す一部断面正面図であり、図２は照明装置を示す上面図であり、図３は照明装置を示す部分拡大図であり、図４は照明装置の支持金物の設置方法を説明する図であり、図５は照明装置の器具本体の設置方法を説明する図であり、図６乃至図１０は器具本体へのシェードの着脱方法を説明する図である。
【００２０】
図１乃至図１０に示すように、本実施の形態における照明装置１０は、平板状からなる板状部２２と板状部２２の一側および他側にそれぞれ設けられ上方に突出した一対の係合突起３０，３０とを有し、例えば天井面等の取付面Ｐから離間して支持される器具本体２０と（図５）、上面開口４８を形成されたシェード４０であって、上面開口４８の一側および他側にそれぞれ設けられ器具本体２０の係合突起３０と係合する一対の係合部材５０，５０を有し、器具本体に着脱自在に支持されるシェード４０と、取付面Ｐに固定され器具本体２０を支持する支持金物６０と、を備えている。
【００２１】
なお、図１、図２、並びに、図４乃至図１０において、紙面の左側を一側とし、図面の左側を右側として説明するが、当然に、本考案がこれに限定されるものではない。
【００２２】
まず、支持金物６０について説明する。
【００２３】
支持金物６０は、例えば金属製平板材を折り曲げて作製され、図４に示すように、断面コ字状に形成されるとともに、その両端に取付フランジを設けられた形状を有している。また、図２および図４に示されているように、支持金物６０の中央には穴６２が形成されている。
【００２４】
次に、器具本体２０についてさらに詳述する。
【００２５】
図２に示すように、本実施の形態において、器具本体２０の板状部２２は平面視矩形状を有している。図５に示すように、本実施の形態においては、この板状部２２の一側端および他側端に係合突起３０が設けられている。例えば図５や図３に示されているように、係合突起３０は、板状部２２から板状に立ち上がっており、板状部２２の対向する一側端縁２２ａおよび他側端縁２２ｂに沿って延びている。そして、このような板状部２２および係合突起３０は、例えば、金属板材を折り曲げることによって一体に形成され得る。
【００２６】
図１に示すように、器具本体２０は、例えば電球や蛍光灯等の発光体を保持するための発光体支持部材２４を有している。本実施の形態における発光体支持部材２４は、電球からなる発光体を保持する複数のソケット２５と、複数のソケット２５を支持するソケット支持部２６、ソケット支持部２６と板状部２２とをブラケット２７を介して連結する連結パイプ２８と、を有している。
【００２７】
図５に示すように、器具本体２０と支持金物６０とは、器具本体２０の板状部２２および支持金物６０のフランジを貫通する締結具１４、例えばボルトおよびナットによって連結さる。
【００２８】
図１および図５に示されているように、板状部２２の中央に穴２３が形成されており、この穴２３を電気配線１５が通過している。電気配線１５は、ブラケット２７に設けられた穴を介して連結パイプ２８およびソケット支持部２６を通過してソケット２５まで延びている。一方、図１および図５に示されているように、電気配線１５の他端は雄ソケット１６ａに接続されている。この雄ソケット１６ａは支持金物６０越しに取付面Ｐに固定される雌ソケット１６ｂ（図４および図５）に着脱自在となっている。なお、図４に示すように、雌ソケット１６ｂには、取付面Ｐに設けられた穴１８および支持金物６０に設けられた穴６２を介し、電源（図示せず）に接続された電気配線（図示せず）が接続される。
【００２９】
次に、シェード４０についてさらに詳述する。
【００３０】
図１に示すように、シェード４０は、略直方体の輪郭をなすフレーム４２と、フレーム４２に保持されたパネル４４と、を有する。パネル４４はプラスチック等の透光性材料からなり、例えば店舗名等の模様が形成されている。本実施の形態において、パネル４４はフレーム４２の側部に設けられている。したがって、シェード４０には、矩形状からなる上面開口４８と下面開口（図示せず）が形成されている。
【００３１】
上述したように、一対の係合部材５０が、上面開口４８の一側および他側にそれぞれ設けられている。本実施の形態においては、特に図１および図２に示されているように、フレーム４２のうちシェード４０の上方一側端縁４０ａを画定する部分および上方他側端縁４０ａを画定する部分に、係合部材５０がそれぞれ取り付けられている。特に図８に示されているように、各係合部材５０は、内方に延び出る延出部５２と、延出部５２の内方端から垂れ下がる垂下部５４と、を有している。
【００３２】
図１に示すように、このようなシェード４０は、係合部材４０が器具本体２０の係合突起３０と係合し、係合部材４０の垂下部５４が係合突起３０の内方に配置された状態で、器具本体２０に支持されるようになっている。この配置を可能にするため、図２に示すように、一対の係合突起３０，３０間の長さは、一対の係合部材５０，５０の垂下部５４の外方端（本実施の形態においては、外側面）５４ａ，５４ａ間の長さＬ１より長く、一対の係合部材５０の延出部５２の外方端５２ａ，５２ａ間の長さＬ４より短くなっている。さらに厳密に言えば、係合突起３０の内方端（本実施の形態においては、内側面）３０ａ，３０ａ間の長さＬ２は、一対の係合部材５０，５０の垂下部５４の外方端５４ａ，５４ａ間の長さより長く、係合突起３０の外方端（本実施の形態においては、外側面）３０ｂ，３０ｂ間の長さＬ３は、一対の係合部材５０の延出部５２の外方端５２ａ，５２ａ間の長さＬ４より短くなっている。
【００３３】
また、後述するようシェード４０の器具本体２０への取り付けを容易にするため、係合突起３０の外方端（本実施の形態においては、外側面）３０ｂ，３０ｂ間の長さＬ３が、一方の係合部材５０の延出部５２の外方端５２ａと、他方の係合部材５０の垂下部５４の内方端（本実施の形態においては、内側面）５４ｂと、の間の長さＬ５より短くなっていることが好ましい。
【００３４】
ところで、図２、図３、および図８等に示されているように、照明装置１０は、板状部の一側および他側にそれぞれ取り付けられた規制部材７０，７０をさらに備えている。図３に示すように、規制部材７０は、板状部２２の係合突起３０近傍に取り付けられた連結部７２と、連結部７２の端部から立ち上がり係合部材５０の垂下部５４の内方に配置されるようになる内方規制部７４と、内方規制部７４の端部から延び出て係合部材５０の延出部５２の上方に配置されるようになる上方規制部７６と、を有している。連結部７２は、ボルト及びナット等の締結具７８を介し、板状部２２に回動自在に連結されている。
【００３５】
後述するように、規制部材７０は、図１に示すように係合した係合部材５０と係合突起３０との相対移動を規制するために役立つ。その際、図３に示すように、内方規制部７４は、係合部材５０の垂下部５４に内方から当接し、該垂下部５４を含む係合部材５０の、さらには、係合部材５０を含むシェード４０の内方への移動を規制するようになっている。同様に、図３に示すように、上方規制部７６は、係合部材５０の延出部５２に上方から当接し、該延出部５２を含む係合部材５０の、さらには、係合部材５０を含むシェード４０の上方への移動を規制するようになっている。
【００３６】
次に、このような構成からなる照明装置１０の作用について説明する。
【００３７】
上述したように、また、図４および図５に示されるようにして、支持金物６０を介して天井等の取付面Ｐに固定された器具本体２０に対し、シェード５０を取り付ける方法について、主に図６乃至図１０を用いて説明する。
【００３８】
図６に示すように、まず、取付面Ｐから離間して支持された器具本体２０に向けて、シェード４０を持ち上げる。次に、図７に示すように、係合部材５０のうち一方が上方に配置されるとともに他方が下方に配置されるよう、シェード４０を傾ける。図７に示す例においては、一側の係合部材５０が他側の係合部材よりも上方に配置されるようにシェード４０が傾けられている。そして、傾けられたシェード４０の一側の係合部材５０の垂下部５４が、器具本体２０の一側の係合突起３０の内方に配置されるよう、一側の係合部材５０と一側の係合突起３０とを係合させる。
【００３９】
なおこれ以降、一側の係合部材５０の延出部５２を一側の係合突起３０によって下方から支持することができるようになるので、作業者はシェード４０の全重量を常に支えながら作業をする必要がなくなる。
【００４０】
次に、シェード４０の傾きを直すよう、器具本体２０の下方に配置されているシェード４０の他側を上方に持ち上げる。このとき、上述したように、係合突起３０の外方端３０ｂ，３０ｂ間の長さＬ３（図２）が、一方の係合部材５０の延出部５２の外方端５２ａと他方の係合部材５０の垂下部５４の内方端５４ｂとの間の長さＬ５（図２）より短くなっている場合には、図９（ａ）に示すよう、器具本体２０に対しシェード４０を摺動させ、器具本体２０とシェード４０との横方向（上下方向に直交する方向）に沿った相対位置等を適宜修正することにより、器具本体２０をシェード４０内へ上面開口４８を介して容易に配置することができる。ただし、長さＬ３が長さＬ５より長くなっていたとしても、図９（ｂ）に示すように、シェード４０を器具本体２０に対して傾斜させたまま作業を進めることにより、シェード４０内へ上面開口４８を介して器具本体２０を配置することができる。なお、この場合、支持金物６０の構成を適宜調整することによって、天井等の取付面Ｐと器具本体２０との離間間隔を、シェード４０の着脱作業に適した間隔にしておくことが好ましい。
【００４１】
その後、図１１に示すように、シェード４０の他側をさらに持ち上げ、他側の係合部材５０が他側の係合突起３０の上方に配置されるようになる。次に、器具本体２０に対しシェード４０を摺動させ、他側の係合部材５０の延出部５２の下方に他側の係合突起３０が配置されるようにする。そして、この状態から、シェード３０の他側を降下させ、他側の係合部材５０の垂下部５４が、器具本体２０の他側の係合突起３０の内方に配置されるよう、他側の係合部材５０と他側の係合突起３０とを係合させる。
【００４２】
このようにして、器具本体２０にシェード４０を取り付けることができる。
【００４３】
なお、器具本体２０からシェード４０を取り外す場合には、逆の手順を行えばよい。まず、シェード４０の一方側を持ち上げて該側の係合部材５０と係合突起３０との係合を解除する。次に、シェード４０を器具本体２０に対して摺動させるとともに傾けることにより、上面開口４８を介し器具本体２０の一方側の係合突起３０をシェード３０内から露出させる。その後、さらにシェード４０を器具本体２０に対して摺動させるとともに持ち上げることにより、他方側の係合部材５０と係合突起３０との係合を解除する。その後、シェード４０を器具本体２０から離間するよう下げ、上面開口４８を介し器具本体２０の該側の係合突起３０をシェード３０内から露出させる。以上により、器具本体２０からシェード４０を容易に取り外すことができる。
【００４４】
また、器具本体２０に支持されたシェード４０を器具本体２０から取り外す場合には、シェード４０を器具本体２０に対して上方におよび横方に移動させなければならない。したがって、一度、係合突起３０と係合部材５０とを係合させ、器具本体２０へシェード４０を支持させると、シェード４０の自重によってシェード４０を器具本体２０に安定して支持させることができる。また、係合突起３０の突出長さおよび係合部材５０の垂下部５４の垂下長さを適宜調整することにより、器具本体２０へシェード４０をさらに安定して支持させることができる。
【００４５】
ところで、例えば図６乃至図８に示されているように、照明装置１０は器具本体２０の板状部２２に回動自在に連結された規制部材７０を備えている。そして、係合部材５０と係合突起３０とが係合し係合部材５０の垂下部５４が係合突起３０の内方に配置された状態で、シェード４０が器具本体２０に支持された場合に、規制部材７０を器具本体２０に対して回動させると、図３に示すように、規制部材７０と係合部材５０とが係合する。このとき、規制部材７０の内方規制部７４は、係合部材５０の垂下部５４の内方に配置される。また、規制部材７０の上方規制部７６は、係合部材５０の延出部５２の上方に配置される。そして、シェード４０に何らかの力が加えられ、シェード４０が器具本体２０に対して横方（一側または他側）に移動しようとすると、内方規制部７４が係合部材５０の垂下部５４に当接する。同様に、シェード４０が器具本体２０に対して上方に移動しようとすると、上方規制部７６が係合部材５０の延出部５２に当接する。この結果、簡易な構成からなる規制部材７０が係合部材５０と当接することによって、シェード４０の上方および横方への移動を規制することができる。上述したように、器具本体２０に支持されたシェード４０を器具本体２０から取り外すには、シェード４０を器具本体２０に対して上下方向および横方向に移動させなければならない。したがって、このような規制部材７０により、器具本体２０にシェード４０をより安定して支持させることができる。
【００４６】
以上のように本実施の形態によれば、照明装置１０は、板状部２２と板状部２２の一側および他側にそれぞれ設けられ上方に突出した一対の係合突起３０，３０とを有した器具本体２０と、上面開口４８の一側および他側にそれぞれ設けられ器具本体２０の係合突起３０と係合する一対の係合部材５０，５０を有したシェード３０と、を備えている。このような照明装置１０によれば、器具本体２０の一方の係合突起３０とシェード４０の一方の係合部材５０とを係合させ、次に、シェード４０を器具本体２０に対して摺動させることおよび傾けることにより、他方の係合突起３０と他方の係合部材５０とを係合させることができる。このとき、一方の係合突起３０と一方の係合部材５０とを係合させた後において、作業者はシェード４０の全重量を支持し続ける必要はなくなる。したがって、シェード４０を器具本体２０に安全かつ容易に取り付けることができる。また、逆の手順により、器具本体２０からシェード４０を容易に取り外すことができる。通常、シェード４０と器具本体２０との係合部分を目視することができない状態でシェード４０の着脱が行われるが、そのような場合においても、着脱構造が簡易であるとともに着脱操作が容易であるため、シェード４０の着脱を安全かつ迅速に行うことができる。他方、一方の係合突起３０と一方の係合部材５０とが係合すると、シェード４０を上方および横方の両方に移動させない限り、シェード４０が器具本体２０から落下することはない。したがって、シェード４０の自重を利用して、器具本体２０によりシェード４０を安定して支持することができる。また、係合突起３０の突出長さおよび係合部材５０の垂下部５４の垂下長さを適宜調整することにより、器具本体２０によってシェード４０をさらに安定して保持することができる。これらのことから、本実施の形態における照明装置１０によれば、器具本体２０によってシェード４０を安定して支持することができるとともに、シェード４０を容易に着脱することができる。
【００４７】
また、本実施の形態によれば、係合突起３０が矩形状からなる板状部２２の一側端および他側端にそれぞれ設けられているので、とりわけ、シェード４０の着脱作業を容易に行うことができる。
【００４８】
さらに本実施の形態によれば、支持金物６０の構成を適宜調整することによって、天井等の取付面Ｐと器具本体２０との離間間隔を、シェード４０の着脱作業に適した間隔にすることができる。これにより、シェード４０の着脱作業をさらに容易に行うことができるようになる。
【００４９】
さらに、本実施の形態によれば、一対の係合突起３０，３０の外方端３０ｂ，３０ｂ間の長さＬ３が、一対の係合部材５０，５０のうちの一方の係合部材５０の延出部５２の外方端５２ａと、他方の係合部材５０の垂下部５４の内方端５４ｂとの間の長さＬ５より短くなっている。したがって、器具本体２０が上面開口４８を容易に通過することができる。これにより、シェード４０の着脱作業をさらに容易に行うことができるようになる。
【００５０】
さらに、本実施の形態によれば、係合した係合部材５０と係合突起３０との相対移動を規制するための規制部材７０が設けられているので、器具本体２０によってシェード４０を安定して支持することができる。
【００５１】
さらに、本実施の形態によれば、器具本体２０に２つの規制部材７０が設けられており、各規制部材７０は、板状部２２の係合突起３０近傍に回動自在に連結された連結部７２と、係合部材５０の垂下部５４に内方から当接して該垂下部５４の内方への移動を規制する内方規制部７４と、係合部材５０の延出部５２に上方から当接して該延出部５２の上方への移動を規制する上方規制部７６と、を有している。このような簡易な構成からなる規制部材７０を用いた簡単な操作によって、器具本体２０に対するシェード４０の横方および上方への移動を規制することができる。
【００５２】
なお、上述した実施の形態に関し、本考案の要旨の範囲内で種々の変更が可能である。
【００５３】
例えば、上述した実施の形態において、板状部２２の一側端および他側端に一対の係合突起３０が設けられている例を示したが、これに限られず、多数対の係合突起３０が一側端および他側端に設けられてもよい。同様に、係合部材５０の数量を適宜変更することができる。
【００５４】
また、上述した実施の形態において、板状部２２が矩形状からなる例を示したが、これに限られず、例えば多角形等、適宜変更することができる。
【００５５】
さらに、上述した実施の形態において、シェード４０が略直方体の輪郭を有する例を示したが、これに限られず、例えば多角形等、適宜変更することができる。
【００５６】
さらに、図１１に示すように、器具本体２０の係合突起３０内方に、係合部材５０の垂下部５４を受けるための溝５６を形成するよう変更してもよい。図１１に示す例においては、係合部材５０の垂下部５４が溝５６に嵌り込むことによって、シェード４０を器具本体２０へさらに安定して支持させることができる。また、係合部材５０の垂下部５４が溝５６に案内され、シェード４０の器具本体２０に対する取り付け位置が明確になることから、シェード４０の取り付け作業、とりわけ、シェード４０と器具本体２０との係合部分を目視することができない状態での取り付け作業をさらに容易に行うことができる。さらに、係合部材５０の垂下部５４が溝５６に嵌り込むことによって係合部材５０の器具本体２０に対する横方への移動が規制される。このため、この例においては、規制部材７０が、係合部材５０の垂下部５４に当接する内方規制部を有する必要がなくなる。したがって、図１１に示すように、連結部７２と上方規制部７６とからなるより簡易な規制部材７０を用いた場合であっても、シェード４０を安定して支持することができる。
【００５７】
なお、図１１に示す例において、その他の部分は上述した実施の形態と略同一であり、図１１において同一部分には同一符号を付すとともに重複する詳細な説明を省略する。
【図面の簡単な説明】
【００５８】
【図１】本考案による照明装置の一実施の形態を示す一部断面正面図。
【図２】照明装置を示す上面図。
【図３】照明装置を示す部分拡大図。
【図４】照明装置の支持金物の設置方法を説明する図。
【図５】照明装置の器具本体の設置方法を説明する図。
【図６】器具本体へのシェードの着脱方法を説明する図。
【図７】器具本体へのシェードの着脱方法を説明する図。
【図８】器具本体へのシェードの着脱方法を説明する図。
【図９】器具本体へのシェードの着脱方法を説明する図。
【図１０】器具本体へのシェードの着脱方法を説明する図。
【図１１】本実施の形態の変形例を示す図であって、図３に対応する図。
【符号の説明】
【００５９】
１０  照明装置
２０  器具本体
２２  板状部
２２ａ，２２ｂ  端縁
３０  係合突起
３０ａ  内方端
３０ｂ  外方端
４０  シェード
４８  上面開口
５０  係合部材
５２  延出部
５２ａ  外方端
５４  垂下部
５４ａ  外方端
５４ｂ  内方端
５６  溝
６０  支持金物
７０  規制部材
７２  連結部
７４  内方規制部
７６  外方規制部
Ｐ  取付面
【図１】
0003117152.tif 000003
【図２】
0003117152.tif 000004
【図３】
0003117152.tif 000005
【図４】
0003117152.tif 000006
【図５】
0003117152.tif 000007
【図６】
0003117152.tif 000008
【図７】
0003117152.tif 000009
【図８】
0003117152.tif 000010
【図９】
0003117152.tif 000011
【図１０】
0003117152.tif 000012
【図１１】
0003117152.tif 000013